【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
複数のユーザの情報アセットを管理する情報処理システムであって、
それぞれユーザ認証装置を備えた複数の情報処理端末と、
各ユーザが所有するドキュメント・ワークセットをユーザの情報アセットとして保持する情報アセット保持装置とを備え、
ユーザはユーザ認証装置による個人認証を経て使用が可能となった情報処理端末を介して前記情報アセット保持装置内の自分のドキュメント・ワークセットにアクセスするとともに、ユーザ認証装置による個人認証を経た他の情報処理端末からのドキュメント・ワークセットへのアクセスを許可する、
ことを特徴とする情報処理システム。
【請求項２】
ユーザは、ユーザ認証装置による個人認証を経て使用が可能となった情報処理端末を介して、所定のドキュメント・アーカイブに蓄積されているドキュメントを利用してドキュメント・ワークセットを作成又は編集し、
前記情報アセット保持装置は、実データからなるドキュメント・ワークセット、又は各ドキュメントに対するドキュメント・アーカイブへのリファレンス情報からなるドキュメント・ワークセットを保持する、
ことを特徴とする請求項１に記載の情報処理システム。
【請求項３】
ユーザは、第１のユーザ認証装置による個人認証を経て使用可能となった第１の情報処理端末上でドキュメント・ワークセットを作成又は編集し、第２のユーザ認証装置による個人認証を経て使用可能となった第２の情報処理端末から該ドキュメント・ワークセットを取り出す、
ことを特徴とする請求項１に記載の情報処理システム。
【請求項４】
第１のユーザが第１のユーザ認証装置による個人認証を経て使用可能となった第１の情報処理端末上でドキュメント・ワークセットを作成又は編集し、
第２のユーザが第２のユーザ認証装置による個人認証を経て使用可能となった第２の情報処理端末から該ドキュメント・ワークセットにアクセスする、
ことを特徴とする請求項１に記載の情報処理システム。
【請求項５】
前記第１の情報処理端末は前記第１のユーザの認証情報を発信する発信機を備えるとともに、前記第２の情報処理端末は受信機を備え、
前記第２の情報処理端末は、受信した第１のユーザの認証情報を用いて前記ドキュメント・ワークセットにアクセスする、
ことを特徴とする請求項４に記載の情報処理システム。
【請求項６】
前記第１の情報処理端末は前記ドキュメント・ワークセットを発信する発信機を備えるとともに、前記第２の情報処理端末はドキュメント・ワークセットを受信する受信機を備える、
ことを特徴とする請求項４に記載の情報処理システム。
【請求項７】
前記第２の情報処理端末は前記ドキュメント・ワークセットへのアクセスを要求する要求信号を発信する発信機を備えるとともに、前記第１の情報処理端末は受信機を備え、
前記第１の情報処理端末は、要求信号を受信したことに応答して前記ドキュメント・ワークセットへのアクセスを許可する、
ことを特徴とする請求項４に記載の情報処理システム。
【請求項８】
前記第２の情報処理端末は、元のドキュメント・ワークセットのコピーをとり、該コピーを操作する、
ことを特徴とする請求項４に記載の情報処理システム。
【請求項９】
ユーザは、認証媒体と該認証媒体に対する書き込み機能を持つ携帯端末を保持し、ユーザが所有するドキュメント・ワークセットへのリファレンス情報と前記情報アセット保持装置内のユーザが所有するドキュメント・ワークセットにアクセスするためのユーザ認証情報とを前記携帯端末から前記認証媒体へ書き込み、
前記情報処理端末は、前記認証媒体からリファレンス情報とユーザ認証情報を読み出し、前記情報アセット保持装置に対するユーザ認証情報を使った個人認証を経て、リファレンス情報を用いて前記情報アセット保持装置内のドキュメント・ワークセットへアクセスする、
ことを特徴とする請求項１に記載の情報処理システム。
【請求項１０】
前記携帯端末は前記認証媒体を内蔵し、前記携帯端末から前記認証媒体へ認証情報を安全に書き込むことができる、
ことを特徴とする請求項９に記載の情報処理システム。
【請求項１１】
前記携帯端末は、ユーザが所有するドキュメント・ワークセット又はその一部にアクセスするための一時的なユーザ認証情報を前記情報アセット保持装置から得て、前記認証媒体に書き込み、
前記情報処理端末は、前記認証媒体からリファレンス情報と一時的なユーザ認証情報を読み出し、前記情報アセット保持装置に対する一時的なユーザ認証情報を使った個人認証を経て、リファレンス情報を用いて前記情報アセット保持装置内のドキュメント・ワークセット又はその中のアクセスが許可されている一部へアクセスする、
ことを特徴とする請求項９に記載の情報処理システム。
【請求項１２】
前記情報処理端末は、認証情報を生成するための素情報を前記認証媒体に書き込み、
前記携帯端末は、前記素情報を基に前記情報処理端末用の認証情報を生成するとともに、前記情報処理端末に対しアクセスを許可するドキュメント・ワークセット又はその一部に対するリファレンス情報を、前記認証情報とともに前記認証媒体に書き込み、
前記情報処理端末は、前記認証媒体からリファレンス情報とユーザ認証情報を読み出し、前記情報アセット保持装置に対するユーザ認証情報を使った個人認証を経て、リファレンス情報を用いて前記情報アセット保持装置内のドキュメント・ワークセット又はその一部へアクセスする、
ことを特徴とする請求項９に記載の情報処理システム。
【請求項１３】
前記携帯端末は、前記情報処理端末とのチャレンジ応答を経て、前記情報処理端末用の認証情報を生成するとともに、前記情報処理端末に対しアクセスを許可するドキュメント・ワークセット又はその一部に対するリファレンス情報を前記認証情報とともに前記認証媒体に書き込み、
前記情報処理端末は、前記認証媒体からリファレンス情報とユーザ認証情報を読み出し、前記情報アセット保持装置に対するユーザ認証情報を使った個人認証を経て、リファレンス情報を用いて前記情報アセット保持装置内のドキュメント・ワークセット又はその一部へアクセスする、
ことを特徴とする請求項９に記載の情報処理システム。
【請求項１４】
前記携帯端末は、前記情報処理端末用の認証情報と、前記情報処理端末に対しアクセスを許可するドキュメント・ワークセット又はその一部に対するリファレンス情報とを前記認証媒体に書き込む前に、前記情報アセット保持装置に対し、前記情報処理端末によるドキュメント・ワークセットに対するアクセス許可を要求する、
ことを特徴とする請求項１２又は１３のいずれかに記載の情報処理システム。
【請求項１５】
前記携帯端末は、前記情報アセット保持装置に対し、前記情報処理端末によるドキュメント・ワークセットに対するアクセス許可を要求し、許可されたことを示す許可情報と許可が得られたドキュメント・ワークセット又はその一部にアクセスするためのリファレンス情報とを前記認証媒体に書き込み、
前記情報処理端末は、前記認証媒体から許可情報とリファレンス情報を読み出し、許可情報とリファレンス情報を用いて前記情報アセット保持装置内のドキュメント・ワークセット又はその中のアクセスが許可されている一部へアクセスする、
ことを特徴とする請求項９に記載の情報処理システム。
【請求項１６】
コンピュータ上で構築される情報処理システム上で、複数のユーザの情報アセットを管理する情報処理方法であって、
前記コンピュータが備える管理手段が、各ユーザが所有するドキュメント・ワークセットをユーザの情報アセットとして管理するステップと、
前記コンピュータが備えるアクセス手段が、ユーザが個人認証を経て使用が可能となった情報処理端末を介して自分のドキュメント・ワークセットにアクセスするステップと、
前記コンピュータが備える許可手段が、ユーザが個人認証を経た他の情報処理端末からのドキュメント・ワークセットへのアクセスを許可するステップと、
を具備することを特徴とする情報処理方法。
【請求項１７】
前記コンピュータが備える編集手段が、ユーザによる個人認証を経て使用が可能となった情報処理端末を介した操作に応じて、所定のドキュメント・アーカイブに蓄積されているドキュメントを利用してドキュメント・ワークセットを作成又は編集するステップをさらに備え、
前記の情報アセットを管理するステップでは、実データからなるドキュメント・ワークセット、又は各ドキュメントに対するドキュメント・アーカイブへのリファレンス情報からなるドキュメント・ワークセットを保持する、
ことを特徴とする請求項１６に記載の情報処理方法。
【請求項１８】
前記コンピュータが備える編集手段が、ユーザによる第１のユーザ認証装置による個人認証を経て使用可能となった第１の情報処理端末上での操作に応じてドキュメント・ワークセットを作成又は編集するステップと、
前記コンピュータが備える取り出し手段が、ユーザからの操作に応じて第２のユーザ認証装置による個人認証を経て使用可能となった第２の情報処理端末から該ドキュメント・ワークセットを取り出すステップと、
を備えることを特徴とする請求項１６に記載の情報処理方法。
【請求項１９】
前記コンピュータが備える編集手段が、第１のユーザによる第１のユーザ認証装置による個人認証を経て使用可能となった第１の情報処理端末上での操作に応じてドキュメント・ワークセットを作成又は編集するステップと、
前記コンピュータが備えるアクセス手段が、第２のユーザからの操作に応じて第２のユーザ認証処理装置による個人認証を経て使用可能となった第２の情報処理端末から該ドキュメント・ワークセットにアクセスするステップと、
を備えることを特徴とする請求項１６に記載の情報処理方法。
【請求項２０】
前記第１の情報処理端末は前記第１のユーザの認証情報を発信する発信機を備えるとともに、前記第２の情報処理端末は受信機を備え、
前記コンピュータが備えるアクセス手段が、前記第２の情報処理端末が受信した第１のユーザの認証情報を用いて前記ドキュメント・ワークセットにアクセスするステップを備える、
ことを特徴とする請求項１９に記載の情報処理方法。
【請求項２１】
前記第１の情報処理端末は前記ドキュメント・ワークセットを発信する発信機を備えるとともに、前記第２の情報処理端末はドキュメント・ワークセットを受信する受信機を備え、
前記コンピュータが備える転送手段が、前記第１の情報処理端末から前記第２の情報処理端末へドキュメント・ワークセットを転送するステップをさらに備える、
ことを特徴とする請求項１９に記載の情報処理方法。
【請求項２２】
前記第２の情報処理端末は前記ドキュメント・ワークセットへのアクセスを要求する要求信号を発信する発信機を備えるとともに、前記第１の情報処理端末は受信機を備え、
前記コンピュータが備える許可手段が、前記第１の情報処理端末が要求信号を受信したことに応答して前記ドキュメント・ワークセットへのアクセスを許可するステップをさらに備える、
ことを特徴とする請求項１９に記載の情報処理方法。
【請求項２３】
前記第２の情報処理端末は、元のドキュメント・ワークセットのコピーをとるステップをさらに備え、前記第２のユーザは該コピーされたドキュメント・ワークセットを操作する、
ことを特徴とする請求項１９に記載の情報処理方法。
【請求項２４】
ユーザは、認証媒体と該認証媒体に対する書き込み機能を持つ携帯端末を保持しており、
前記コンピュータが備える書き込み手段が、ユーザが所有するドキュメント・ワークセットへのリファレンス情報と、前記情報アセット保持装置内のユーザが所有するドキュメント・ワークセットにアクセスするためのユーザ認証情報とを、前記携帯端末から前記認証媒体へ書き込むステップをさらに備え、
前記のドキュメント・ワークセットへのアクセスを許可するステップでは、前記情報処理端末から、前記認証媒体からリファレンス情報とユーザ認証情報を読み出し、前記情報アセット保持装置に対するユーザ認証情報を使った個人認証を経て、リファレンス情報を用いて前記情報アセット保持装置内のドキュメント・ワークセットへアクセスする、
ことを特徴とする請求項１６に記載の情報処理方法。
【請求項２５】
前記の認証媒体へ書き込むステップでは、前記携帯端末は、ユーザが所有するドキュメント・ワークセット又はその一部にアクセスするための一時的なユーザ認証情報を前記情報アセット保持装置から得て、前記認証媒体に書き込み、
前記のドキュメント・ワークセットへのアクセスを許可するステップでは、前記情報処理端末は、前記認証媒体からリファレンス情報と一時的なユーザ認証情報を読み出し、前記情報アセット保持装置に対する一時的なユーザ認証情報を使った個人認証を経て、リファレンス情報を用いて前記情報アセット保持装置内のドキュメント・ワークセット又はその中のアクセスが許可されている一部へアクセスする、
ことを特徴とする請求項２４に記載の情報処理方法。
【請求項２６】
前記の認証媒体へ書き込むステップでは、前記携帯端末は、前記情報処理端末が前記認証媒体に書き込んだ素情報を基に前記情報処理端末用の認証情報を生成するとともに、前記情報処理端末に対しアクセスを許可するドキュメント・ワークセット又はその一部に対するリファレンス情報を、前記認証情報とともに前記認証媒体に書き込み、
前記のドキュメント・ワークセットへのアクセスを許可するステップでは、前記情報処理端末は、前記認証媒体からリファレンス情報とユーザ認証情報を読み出し、前記情報アセット保持装置に対するユーザ認証情報を使った個人認証を経て、リファレンス情報を用いて前記情報アセット保持装置内のドキュメント・ワークセット又はその一部へアクセスする、
ことを特徴とする請求項２４に記載の情報処理方法。
【請求項２７】
前記の認証媒体へ書き込むステップでは、前記携帯端末は、前記情報処理端末とのチャレンジ応答を経て、前記情報処理端末用の認証情報を生成するとともに、前記情報処理端末に対しアクセスを許可するドキュメント・ワークセット又はその一部に対するリファレンス情報を前記認証情報とともに前記認証媒体に書き込み、
前記のドキュメント・ワークセットへのアクセスを許可するステップでは、前記情報処理端末は、前記認証媒体からリファレンス情報とユーザ認証情報を読み出し、前記情報アセット保持装置に対するユーザ認証情報を使った個人認証を経て、リファレンス情報を用いて前記情報アセット保持装置内のドキュメント・ワークセット又はその一部へアクセスする、
ことを特徴とする請求項２４に記載の情報処理方法。
【請求項２８】
前記携帯端末は、前記情報アセット保持装置に対し、前記情報処理端末によるドキュメント・ワークセットに対するアクセス許可を要求するステップをさらに備える、
ことを特徴とする請求項２６又は２７のいずれかに記載の情報処理方法。
【請求項２９】
前記の認証媒体へ書き込むステップでは、前記携帯端末は、前記情報アセット保持装置に対し、前記情報処理端末によるドキュメント・ワークセットに対するアクセス許可を要求し、許可されたことを示す許可情報と許可が得られたドキュメント・ワークセット又はその一部にアクセスするためのリファレンス情報とを前記認証媒体に書き込み、
前記のドキュメント・ワークセットへのアクセスを許可するステップでは、前記情報処理端末は、前記認証媒体から許可情報とリファレンス情報を読み出し、許可情報とリファレンス情報を用いて前記情報アセット保持装置内のドキュメント・ワークセット又はその中のアクセスが許可されている一部へアクセスする、
ことを特徴とする請求項２４に記載の情報処理方法。
【請求項３０】
複数のユーザの情報アセットを管理するための処理をコンピュータ・システム上で実行するようにコンピュータ可読形式で記述されたコンピュータ・プログラムであって、前記コンピュータ・システムに対し、
各ユーザが所有するドキュメント・ワークセットをユーザの情報アセットとして管理する手順と、
ユーザが個人認証を経て使用が可能となった情報処理端末を介して自分のドキュメント・ワークセットにアクセスする手順と、
ユーザが個人認証を経た他の情報処理端末からのドキュメント・ワークセットへのアクセスを許可する手順と、
を実行させることを特徴とするコンピュータ・プログラム。